(57)【要約】      （修正有）【課題】普通のスイッチを使用して輝度を調整するとともに、調整した輝度を維持できる調光灯具を提供する。【解決手段】調光灯具は、調光灯具及び電源スイッチに電気的に接続している調光設備２を含み、調光設備は、制御チップ２０と記憶ユニット２２を含み、制御チップは、それぞれ電源スイッチ及び調光灯具に電気的に接続しており、調光灯具へ輝度選択信号を出力し、電源スイッチは、輝度選択信号に応じて記憶ユニットに貯蔵された輝度微調整信号を出力し、記憶ユニットは、計時ユニット４に電気的に接続しており、計時ユニットは、輝度微調整信号が有効に維持されるための予定時間を設定する。電源スイッチをつける・切るの間に輝度選択信号に応じて輝度微調整信号を選択することにより、輝度を選択した後予定時間までに再びつけると、最後に切った時の輝度設定が維持される。【選択図】図３
0003214075.tif 000002
【実用新案登録請求の範囲】
【請求項１】
普通のスイッチが制御可能な調光灯具であり、
前記調光灯具及び電源スイッチに電気的に接続している調光設備を含み、
前記調光設備は、制御チップと記憶ユニットを含み、
前記制御チップは、それぞれ前記電源スイッチ及び前記調光灯具に電気的に接続しており、前記調光灯具へ輝度選択信号を出力し、
前記電源スイッチは、前記輝度選択信号に応じてスイッチとして、前記記憶ユニットに貯蔵された輝度微調整信号を出力し、
前記記憶ユニットは、計時ユニットに電気的に接続しており、
前記計時ユニットは、前記輝度微調整信号が有効に維持されるための予定時間を設定する、ことを特徴とする調光灯具。
【請求項２】
前記制御チップ、前記記憶ユニット及び前記計時ユニットが互いに整合するとともに前記調光灯具に電気的に接続していることに供する、回路板をさらに含む、ことを特徴とする請求項１に記載の普通のスイッチが制御可能な調光灯具。
【請求項３】
前記計時ユニットに電気的に接続しており、前記予定時間を変更する時間調整装置をさらに含む、ことを特徴とする請求項１に記載の普通のスイッチが制御可能な調光灯具。
【請求項４】
前記時間調整装置はさらに、入力設備及びディスプレイを含む、ことを特徴とする請求項３に記載の普通のスイッチが制御可能な調光灯具。
【請求項５】
前記入力設備はさらに、増加キー及び減少キーから構成される、ことを特徴とする請求項４に記載の普通のスイッチが制御可能な調光灯具。
【請求項６】
前記調光灯具は、ＬＥＤ灯具又はＴ４灯管である、ことを特徴とする請求項１に記載の普通のスイッチが制御可能な調光灯具。
【請求項７】
前記調光設備はさらに、前記調光灯具の外部に設置される、ことを特徴とする請求項１に記載の普通のスイッチが制御可能な調光灯具。
【請求項８】
前記調光設備はさらに、前記調光灯具の内部に設置される、ことを特徴とする請求項１に記載の普通のスイッチが制御可能な調光灯具。
【考案の詳細な説明】
【技術分野】
【０００１】
本考案は、調光灯具に関し、特に普通のスイッチが制御可能な調光灯具に関する。
【背景技術】
【０００２】
灯管は、照明用具として生活欠かすことができないものである。灯管又はＬＥＤ灯具は、低消費電力、及び使用場所が制限されないとの利点があるので、広く用いられている。
【０００３】
従来は、室内で使用される照明用調光灯具について、光量を微調整するために、回転切替スイッチを採用している。光量を微調整できるが、光線の輝度を固定することが困難で、スイッチをつけると、再び調整しなければならない。一方、片切りスイッチを採用した場合に、明暗しかないので、光量を微調整することができない。
【０００４】
よって、考案者にとって、上記の従来構成の問題点を改善し、さらに産業上実施できることを増進するために、新たな調光灯具を開発する必要がある。
【０００５】
従来の調光灯具を開示する文献として下記の特許文献１がある。特許文献１に開示のＬＥＤ駆動回路は、セグメント化されたパワー調整可能なＬＥＤ駆動回路に関し、定電流ＩＣチップＵ１と前記定電流ＩＣチップに接続された電力供給ユニットと、スイッチ制御ユニットと、駆動ユニットを含み、前記駆動ユニットは、前記スイッチ制御ユニットに接続され、前記ＬＥＤ駆動回路は、パワー調整ユニットを備え、前記パワー調整ユニットは、前記定電流ＩＣチップ、前記スイッチ制御ユニットと駆動ユニットに接続されることを特徴とする。特許文献１に開示のＬＥＤ駆動回路によれば、ＬＥＤランプの明度を適切に調整することができるので、ＬＥＤランプの消費エネルギーを削減することができる。
【０００６】
しかしながら、特許文献１に開示のＬＥＤ駆動回路は、構造的に複雑な構成となるので、より簡便な構成でＬＥＤランプの明度を調整したいというニーズがある。また、一度調整した明度を維持できるような構成のＬＥＤランプの登場が望まれている。
【先行技術文献】
【特許文献】
【０００７】
【特許文献１】実用新案登録第３２０１８００号
【考案の概要】
【考案が解決しようとする課題】
【０００８】
本考案は上記の問題点に鑑みてなされたものであり、その目的は、従来技術の欠点を改善するために、新規性、進歩性及び実用性などの要件を具する普通のスイッチが制御可能な調光灯具を提供するものである。
【課題を解決するための手段】
【０００９】
上記の目的を達するために、本考案に採用した技術的手段によれば、普通のスイッチが制御可能な調光灯具であり、前記調光灯具及び電源スイッチに電気的に接続している調光設備を含み、前記調光設備は、制御チップと記憶ユニットを含み、前記制御チップは、それぞれ前記電源スイッチ及び前記調光灯具に電気的に接続しており、前記調光灯具へ輝度選択信号を出力し、前記電源スイッチは、前記輝度選択信号に応じてスイッチとして、前記記憶ユニットに貯蔵された輝度微調整信号を出力し、前記記憶ユニットは、計時ユニットに電気的に接続しており、前記計時ユニットは、前記輝度微調整信号が有効に維持されるための予定時間を設定する、ことを特徴とする。
【００１０】
好ましく、前記制御チップ、前記記憶ユニット及び前記計時ユニットが互いに整合するとともに前記調光灯具に電気的に接続していることに供する、回路板をさらに含む。
【００１１】
好ましく、前記計時ユニットに電気的に接続しており、前記予定時間を変更する時間調整装置をさらに含む。
【００１２】
好ましく、前記時間調整装置はさらに、入力設備及びディスプレイを含む。
【００１３】
好ましく、前記入力設備はさらに、増加キー及び減少キーから構成される。
【００１４】
好ましく、前記調光灯具は、ＬＥＤ灯具又はＴ４灯管である。
【００１５】
好ましく、前記調光設備はさらに、前記調光灯具の外部に設置される。
【００１６】
好ましく、前記調光設備はさらに、前記調光灯具の内部に設置される。
【考案の効果】
【００１７】
本考案は、普通の電源スイッチをつける・切ることにより輝度選択信号を選択し、確認した輝度微調整信号（即ち、最終の輝度信号）を記憶ユニットに貯蔵するので、再び電源スイッチを通し調光灯具を付ける際に、調光灯具は前回に切られた後の輝度設定が維持されることができる。なお、記憶ユニットは、計時ユニットに電気的に接続しており、計時ユニットは、輝度微調整信号が有効に維持されるための予定時間を設定できる。予定時間を超えると、調光灯具の輝度が初期値に戻す。
【００１８】
ちなみに、本考案の調光設備は、いずれかの調光灯具に応用されることができ、特定の調光灯具に制限されることはない。
【００１９】
上記の目的、技術的特徴、及び実施した後の利点をより明らかにするために、以下、本考案に係る好ましい実施形態について、図面を参照しながら詳細的に説明する。なお、本考案に開示した内容、登録請求の範囲及び図式により、当業者は本考案の係る目的及び利点を容易に理解することができる。
【図面の簡単な説明】
【００２０】
【図１】本考案の実施例の立体構成を示す斜視図である。
【図２】本考案の調光設備の内部に設置された各装置を示す斜視図である。
【図３】本考案の実施例による第一使用状態を示す図である。
【図４】本考案の実施例による第二使用状態を示す図である。
【考案を実施するための形態】
【００２１】
本考案のメリット、特徴および実施形態は、例示的な実施例および図面の参照により詳しく説明されて容易に理解できるが、本考案は異なる形態で實現されてもよく、かつここに記載されている実施例に限られると解釈されるべきではない。その一方で、本考案の属する技術分野における技術者にとって、提供される実施例により、本考案はよりはっきりと開示され、本考案のカテゴリは全面的にかつ完全に伝わる。また、本考案は添付した特許請求の範囲のみにより定義される。図面において、構成部分や構成要素などの寸法および相対寸法は、はっきりでわかりやすくなるように拡大表示される。全明細書において、同一の構成要素の符号は同一の組立品を指している。後ろの文に使用される用語「及び/又は」については、いずれの及び全ての或いは複数の係る対象の組合を意味する。
【００２２】
他の定義でなければ、後ろの文に使用されるすべての用語(科学・技術の術語を含む)は、本考案の属する技術分野における技術者の通常理解する意味と同一の意味を有している。また、例えば通常使用され辞書により定義されるそれらの用語が、関連分野における内容に一致する意味を有すると解釈されるべきであり、かつ後ろの文においてそれらの用語に他の定義がなければ、それらの用語は通常の意味により理解される。
【００２３】
以下、図面に合わせて例示的な実施例を詳しく述べるが、それらの実施例は異なる形式に含まれてもよく、かつ本考案の特許請求の範囲を限定すべきではない。それらの実施例により本考案が完全かつ明瞭に開示され、当該技術を熟知する者はそれらの実施例を介して本考案のカテゴリを理解することができる。
【００２４】
図１及び図２を参照し、それらが、本考案の実施例の立体構成を示す斜視図、及び、本考案の調光設備の内部に設置された各装置を示す斜視図である。本考案は、普通のスイッチが制御可能な調光灯具であり、主に調光灯具１、調光設備２、及び電源スイッチ３を含む。調光設備２は、調光灯具１及び電源スイッチ３に電気的に接続している。調光設備２は、制御チップ２０と記憶ユニット２２を含み、制御チップ２０は、それぞれ電源スイッチ３及び調光灯具１に電気的に接続している。制御チップ２０は、調光灯具１へ輝度選択信号（輝度は、０〜１００のレベルに分かれる）を出力するが、電源スイッチ３は、輝度選択信号に応じてスイッチとして、記憶ユニット２２に貯蔵された輝度微調整信号を出力する。言い換えれば、電源スイッチ３が付ける時、制御チップ２０は、調光灯具１へ輝度選択信号を発生させ、つまり絶えずに、消灯（輝度が０を代表）からどんどん明るくになり、終に最も明るさ（輝度が１００を代表）になる、というプロセスで進む。最も明るさになるが電源スイッチ３が切れないと、調光灯具１は、最も明るさ（輝度が１００を代表）からどんどん暗くになり、終に消灯（輝度が０を代表）になり、電源スイッチ３が切れるまで、というプロセスで進む。電源スイッチ３を切り替えることは、輝度選択信号に応じて輝度微調整信号を出力し、その輝度を確定し、且つ記憶ユニット２２に輝度微調整信号を貯蔵することに等しい。従い、ユーザーが次回に電源スイッチ３をつける際に、調光灯具１の輝度は、前回に切った時の輝度に維持される。
【００２５】
ちなみに、記憶ユニット２２は、計時ユニット４に電気的に接続している。計時ユニット４は、予定時間（例えば、５分間）を設定することができる。従い、電源スイッチ３が切れてから５分間以内に再度付くと、調光灯具１の輝度は、前回に切った時の輝度に維持される。その反面、電源スイッチ３が切れてから５分間の後で再度付くと、調光灯具１の輝度は初期値に戻す。
【００２６】
前記制御チップ２０、記憶ユニット２２及び計時ユニット４は、回路板５に互いに整合し、且つ調光灯具１に電気的に接続していることにより、単一の設備になるようにする。なお、計時ユニット４は時間調整装置４０に電気的に接続しており、時間調整装置４０は入力設備４０１及びディスプレイ４０３を含む。入力設備４０１は、増加キー４０１０及び減少キー４０１２から構成される。ユーザーが増加キー４０１０及び減少キー４０１２で設定時間の長短を調整することができ、調整された時間はディスプレイ４０３に表示された。時間調整装置４０で予定時間を任意に変更することにより、電源スイッチ３が切れた後の、次回付くまでの時間を長く・短くすることができ、ユーザーが輝度調整信号を維持するとのニーズを満たす。
【００２７】
図３及び図４を同時に参照し、それらが、本考案の実施例による第一使用状態を示す図、及び、本考案の実施例による第二使用状態を示す図である。図３は、輝度選択信号が２０に調整された（やや暗くなる）ことを例にしたが、調光灯具１として一般にはＴ４灯管を主に用い、且つ調光設備を外部に設置し、そこから線路を調光灯具１に電気的に接続する。ユーザーが調光灯具１を調整する際に、先に電源スイッチ３を付けると（実線の矢印に向かうのは、押す方向を示す）、制御チップ２０は調光灯具１へ輝度選択信号（輝度は、０〜１００のレベルに分かれる）を出力する。ユーザーは、輝度選択信号が２０である際に電源スイッチ３を切ると（点線の矢印に向かうのは、押す方向を示す）、相対的な輝度微調整信号が記憶ユニット２２に貯蔵される。従い、次回に、計時ユニット４が設定した予定時間（例えば、５分間）以内に電源スイッチ３を付ける際に、調光灯具１の輝度は、記憶ユニット２２に貯蔵された輝度に、つまり前回に切られた時の輝度に維持される。本実施例は、輝度２０（図に示せず）をやや暗い輝度（短い光線で示す）に設定した。勿論、計時ユニット４が設定した予定時間を超えると、調光灯具１の輝度は、前回の輝度選択信号が代表した値でなく、初期値に戻す。
【００２８】
前記制御チップ２０、記憶ユニット２２及び計時ユニット４は、回路板５に互いに整合し、且つ調光灯具１に電気的に接続していることにより、単一の設備になるようにする。なお、計時ユニット４は時間調整装置４０に電気的に接続しており、ユーザーが増加キー４０１０及び減少キー４０１２で設定時間の長短を調整することができ、調整された時間はディスプレイ４０３に表示された。それにより、電源スイッチ３が切れた後の、次回付くまでの時間を長く・短くすることができ、ユーザーが輝度調整信号を維持するとのニーズを満たす。
【００２９】
図４は、輝度選択信号が８０に調整された（やや明るくなる）ことを例にしたが、調光灯具１として一般にはＬＥＤ灯具を主に用い、且つ調光設備を内部に設置する。ユーザーが調光灯具１を調整する際に、先に電源スイッチ３を付けると（実線の矢印に向かうのは、押す方向を示す）、制御チップ２０は調光灯具１へ輝度選択信号（輝度は、０〜１００のレベルに分かれる）を出力する。ユーザーは、輝度選択信号が８０である際に電源スイッチ３を切ると（点線の矢印に向かうのは、押す方向を示す）、相対的な輝度微調整信号が記憶ユニット２２に貯蔵される。従い、次回に、計時ユニット４が設定した予定時間（例えば、２０分間）以内に電源スイッチ３を付ける際に、調光灯具１の輝度は、記憶ユニット２２に貯蔵された輝度に、つまり前回に切られた時の輝度に維持される。本実施例は、輝度８０（図に示せず）をやや明るい輝度（長い光線で示す）に設定した。勿論、計時ユニット４が設定した予定時間を超えると、調光灯具１の輝度は、前回の輝度選択信号が代表した値でなく、初期値に戻す。
【００３０】
本考案は、普通の電源スイッチ３をつける・切ることにより輝度選択信号を選択し、確認した輝度微調整信号（即ち、最終の輝度信号）を記憶ユニット２２に貯蔵するので、再び電源スイッチ３を通し調光灯具１を付ける際に、調光灯具１は前回に切られた後の輝度設定が維持されることができる。なお、記憶ユニット２２は、計時ユニット２０に電気的に接続しており、計時ユニット２０は、輝度微調整信号が有効に維持されるための予定時間を設定できる。予定時間を超えると、調光灯具１の輝度が初期値に戻す。ちなみに、本考案の調光設備２は、いずれかの調光灯具１に応用されることができ、特定の調光灯具に制限されることはない。
【００３１】
以上、本考案者によってなされた考案を実施の形態に基づき具体的に説明したが、本考案は前記の実施の形態に限定されるものではなく、その要旨を逸脱しない範囲で種々変更が可能であることは言うまでもない。
【００３２】
上記結果から、本考案は、従来の技術を突破する上、増進しようとする効果に確実に達し、且つそれが具する進歩性及び実用性などの要件が、当業者に容易に想到されるものではない。
【符号の説明】
【００３３】
１                調光灯具
２                調光設備
２０              制御チップ
２２              記憶ユニット
３                電源スイッチ
４                計時ユニット
４０              時間調整装置
４０１            入力設備
４０１０          増加キー
４０１２          減少キー
４０３            ディスプレイ
５                回路板
【図１】
0003214075.tif 000003
【図２】
0003214075.tif 000004
【図３】
0003214075.tif 000005
【図４】
0003214075.tif 000006
【手続補正書】
【提出日】平成29年8月9日(2017.8.9)
【手続補正１】
【補正対象書類名】図面
【補正対象項目名】図１
【補正方法】変更
【補正の内容】
【図１】
0003214075.tif 000007